(57)【要約】      （修正有）【課題】情報受信機能と相互通信機能を具備し，従来の技術的考慮にない日常生活の一部の器具として役割を果たし,また得られる情報を楽しみながら操作を行い意思の疎通を図れる意思伝達装置を提供する。【解決手段】外部からの情報を得るためにインターネット通信が行え，それによって得られる情報を文字情報と画像情報に区分できるパーソナルコンピューターと発光ダイオード文字表示装置（ＬＥＤ文字表示装置）と液晶画像表示装置（ＬＣＤ画像表示装置）とスイッチを切り替えることにより送信する情報を選択し，送信することのできる操作スイッチを備えた相互伝達機能を有した意思伝達装置により問題点を解決した。【選択図】図１
0003132236.tif 000002
【実用新案登録請求の範囲】
【請求項１】
インターネット通信が行えるパーソナルコンピューターとＬＥＤ文字表示装置とＬＣＤ画像表示装置と操作スイッチを備えたことを特徴とする意思伝達装置
【請求項２】
緊急時用電源として蓄電池と太陽電池を備えたことを特徴とする請求項１に記載の意思伝達装置
【考案の詳細な説明】
【技術分野】
【０００１】
本考案は，日常生活の行動の中で意識を持って体を動かすようにした情報受信機能と相互伝達機能を備える意思伝達装置に関する。
【背景技術】
【０００２】
離れて社会生活を営なむ環境下にあり，特に老齢等体力及び視力、聴力が衰えてきている弱者について、できるだけ日常生活の中で前向きに行動し楽しみながら操作を行い、自分の意思で心身の衰弱予防・改善、また健常者に自立生活が送られていることが確認できる支援装置が必要である。そのために得られた画像，文字等の情報を見やすく受け入れやすい形式で表示でき，その後の対応処理を自分で容易に選択，操作できかつ相互にそれを用いて意思の疎通を図れる形の伝達装置が望まれる。これまで特許文献１に示すように通信ネットワークを介して種々のセンサーからの活動状況情報を管理装置，データベースとともに相互に利用可能としているものがある。しかし，装置が複雑であること，センサー等による監視下にあるという意識を解消できないこと，設備導入コストが高いことなど誰でも容易にというものではない。
特許文献２には，意思伝達内容を入力キーの押圧操作により選択する装置が示されているが，弱者にとって種々の内容を伝達しようとするとボタンの数や押す頻度，ボタンの押す組み合わせが多くなり取り扱いが難しく時間とともに使用頻度が少なくなってしまうことが思慮される。特許文献３には，使用者の意思を的確に相手に伝える装置が開示されているが必要上不可欠な事項に限られお互い楽しみながら意思疎通を図るものではない。また，これらは停電等の非常時に対応できるものにはなっていない。
【特許文献１】特開２００６−２１７３９２
【特許文献２】実願昭６０−１３５０８７
【特許文献３】特開２００２−１６９５８７
【考案の開示】
【考案が解決しようとする課題】
【０００３】
本発明は、情報受信機能と相互通信機能を具備し，従来の技術的考慮にない日常生活の一部の器具として役割を果たし,また得られる情報を楽しみながら操作を行い意思の疎通を図れる意思伝達装置を提供することを目的とするものである。
【課題を解決するための手段】
【０００４】
本考案は，外部からの情報を得るためにインターネット通信が行え，それによって得られる情報を文字情報と画像情報に区分できるパーソナルコンピューターと発光ダイオード文字表示装置（ＬＥＤ文字表示装置）と液晶画像表示装置（ＬＣＤ画像表示装置）とスイッチを切り替えることにより送信する情報を選択し，送信することのできる操作スイッチを備えた相互伝達機能を有した意思伝達装置により問題点を解決している。
緊急時用電源として蓄電池と太陽電池を備え家庭用電源の供給が遮断されたときも利用可能な意思伝達装置である。
【考案の効果】
【０００５】
本発明の意思伝達装置を用いることにより，かつ最低限必要な情報をＬＥＤ表示装置に常時表示させておき，情報を認識，利用したらスイッチ操作等によりそれらを消したりあるいは相手に返信情報として送信することができる。各表示装置に表現される内容で目的を生み自他の営みに関心を発生、生活に楽しみが生み出される。弱者が日常生活の範囲で楽しみながらパーソナルコンピューターによらなくとも情報の相互通信を可能にし，かつ情報の入手，相手に返信することにより健在であることを認知させることにも役立つ。
【考案を実施するための最良の形態】
【０００６】
最初，送信者からの情報をインターネット回線を介してパーソナルコンピューターに取り込みそれを画像情報と文字情報，またはそれぞれに区分し，ＬＣＤ画像表示装置とＬＥＤ文字表示装置により表示する。使用者は，表示された情報を視覚により認識し，スイッチ操作等を行うことにより表示を消す，別の情報を選択する，送信者に返信情報を流すなどの選択を行うことができるようになる。
【実施例】
【０００７】
以下，添付図面に従って説明する。
図１は，装置を構成する各ユニットの接続と情報の流れを示したものである。インターネット回線１を通じて他者より送られた情報は，パーソナルコンピューター５により文字情報と画像情報とに識別し，それぞれ対応する表示装置，ＬＥＤ文字表示装置２とＬＣＤ画像表示装置３に送られる。使用者はパーソナルコンピューター５に接続された操作スイッチ４により表示された文字又は画像に対し適当な意思を表す文字情報等を選択し，送信者に送付する。この間文字情報およびまたは画像情報は停止信号が操作スイッチを操作することにより送られない限り送られた情報の表示を続ける。
【０００８】
図２は，電源部６の構成を示したものである。通常は，AC電源より供給するが緊急時等，太陽電池あるいは蓄電池からもインバーターを用いて交流とした電源も利用できる。
【０００９】
図３は，操作スイッチ４の構成を示したもので，本実施例ではスイッチＡを表示開始停止用としスイッチＢからＦにメッセージ内容を変えた返信メッセージに割り当てスイッチＧ及びＨを過去受け取りメール表示としたものである。
【図面の簡単な説明】
【００１０】
【図１】意思伝達装置を構成する各装置の接続と情報の流れを示した図
【図２】電源部６の構成を示した図
【図３】操作スイッチ４の構成を示した図
【符号の説明】
【００１１】
１  インターネット網
２  ＬＥＤ文字表示装置
３  ＬＣＤ画像表示装置
４  操作スイッチ
５  パーソナルコンピューター
６  電源
７  インバーター
８  バッテリー（蓄電池）
９    充電器
１０  家庭用ＡＣ電源
１１  太陽電池
【図１】
0003132236.tif 000003
【図２】
0003132236.tif 000004
【図３】
0003132236.tif 000005
【手続補正書】
【提出日】平成19年3月16日(2007.3.16)
【手続補正１】
【補正対象書類名】実用新案登録請求の範囲
【補正対象項目名】請求項１
【補正方法】変更
【補正の内容】
【請求項１】
インターネット通信を行うためのメール通信ソフトと，インターネットからの情報を表示装置に表示するメール本文・添付画像抽出表示ソフトと，操作スイッチからの信号をもとに情報を選択し，切り替えるためのＬＥＤ通信ソフトとを備えるパーソナルコンピューターに接続される画像表示装置と，パーソナルコンピューターに接続され，送信者に返信する信号ならびに画像情報停止信号を切り替えてパーソナルコンピュータに送付することができる操作スイッチと，パーソナルコンピューターを経由して電源を供給する電源より構成される意思伝達装置において，画像表示装置がＬＥＤ文字表示装置とＬＣＤ画像表示装置の一対よりなる意思伝達装置
【手続補正２】
【補正対象書類名】実用新案登録請求の範囲
【補正対象項目名】請求項２
【補正方法】変更
【補正の内容】
【請求項２】
パーソナルコンピューターを経由して電源を供給する電源として蓄電池と太陽電池を備えたことを特徴とする請求項１に記載の意思伝達装置
【手続補正３】
【補正対象書類名】明細書
【補正対象項目名】０００４
【補正方法】変更
【補正の内容】
【０００４】
インターネット通信を行うためのメール通信ソフトと，インターネットからの情報を表示装置に表示するメール本文・添付画像抽出表示ソフトと，操作スイッチからの信号をもとに情報を選択し，切り替えるためのＬＥＤ通信ソフトとを備えるパーソナルコンピューターに接続される画像表示装置と，パーソナルコンピューターに接続され，送信者に返信する信号ならびに画像情報停止信号を切り替えてパーソナルコンピュータに送付することができる操作スイッチと，パーソナルコンピューターを経由して電源を供給する電源より構成される意思伝達装置において，画像表示装置がＬＥＤ文字表示装置とＬＣＤ画像表示装置の一対とした構成よりなることを特徴とした意思伝達装置である。さらにパーソナルコンピューターを経由して電源を供給する電源として蓄電池と太陽電池を備え家庭用電源の供給が遮断されたときも利用可能な意思伝達装置である。
【手続補正４】
【補正対象書類名】明細書
【補正対象項目名】０００７
【補正方法】変更
【補正の内容】
【０００７】
図１は，装置を構成する各ユニットの接続と情報の流れを示したもので，送信者からの情報をインターネット回線１を介して文字及び画像情報をメール通信ソフトを備えたパーソナルコンピューター５によりパーソナルコンピューターに取り込みその情報をメール本文，添付画像抽出表示ソフトにより，文字情報と画像情報信号を識別し区分し，それら文字情報及び画像信号をＲ２３２Ｃ等を用いて併設された構成のＬＥＤ装置２（文字表示装置）とＬＣＤ表示装置３(画像表示装置)に送り同時にあるいは単独で受けた情報を表示する。操作スイッチ４は，通常用いられるI/Oインターフェース（図示せず）を介してパーソナルコンピューター５に接続され，受信者がメニューに対応する処理のスイッチを操作し，あらかじめ準備しておいたメッセージを選択する信号または情報表示の停止信号をパーソナルコンピューター５に送りＬＥＤ通信ソフトによりＬＥＤ装置２（文字表示装置）にあらかじめ準備した情報を選択し送信者への返信または情報表示信号の停止を行うようにしている。文字情報およびまたは画像情報は停止信号が操作スイッチを操作することにより送られない限り送られた情報の表示を続ける。
【手続補正５】
【補正対象書類名】明細書
【補正対象項目名】０００８
【補正方法】変更
【補正の内容】
【０００８】
図２は，パーソナルコンピューター５及びＬＥＤ表示装置２（文字表示装置）とＬＣＤ表示装置３(画像表示装置)に供給される電源供給部６の構成を示したもので負荷としてパーソナルコンピューター５及びＬＥＤ装置２（文字表示装置）とＬＣＤ表示装置３(画像表示装置)が接続される。通常家庭用AC電源を供給源とするが，それが供給停止した場合，通常用いられるスイッチングリレーにより併設されたバッテリー（蓄電池）または太陽電池からの供給にインバーターを介した電源に切り替えることが出来るものである。
【手続補正６】
【補正対象書類名】明細書
【補正対象項目名】０００９
【補正方法】変更
【補正の内容】
【０００９】
図３は，操作スイッチの切り替え部分を示したもので，本実施例では，例えばスイッチＡを表示開始停止用とし，スイッチＢからFをメッセージ内容を変えた返信用とし，スイッチＧからＨに過去受け取りメール表示用として割り当てることが出来る。